(57)【要約】【課題】識別対象のコインの両面に対応する出力が得られ、同一発振周波数で発振させることのできる遊技機器用コイン識別機のコイン厚みセンサを提案すること。【解決手段】遊技機器用コイン識別機のコイン厚みセンサ１では、コイン識別機のコイン通路２を挟み配置した第１発振コイル３および第２発振コイル４を直列接続してハートレー発振回路５を構成することにより、双方の第１、第２発振コイル３、４を同一発振周波数で発振させ、コイン通路２を通過するコイン２０の両側の面に対応する出力Ｖ３、Ｖ４を得ている。これらの出力の差分をとることにより、コイン２０の各面の凹凸状態も識別できる。【選択図】図１
2007179408.tif 000002
【特許請求の範囲】
【請求項１】
コイン識別機のコイン通路における一方の側に第１発振コイルが配置され、当該コイン通路の他方の側に第２発振コイルが配置され、
前記第１発振コイルおよび前記第２発振コイルを同一発振周波数で発振させるために、これら第１発振コイルおよび第２発振コイルが直列接続されてハートレー発振回路が構成されており、
前記第１発振コイルおよび前記第２発振コイルの各電圧変化あるいは各発振周波数変化に基づき、前記コイン通路を通過するコインの厚みが検出されるようになっていることを特徴とする遊技機器用コイン識別機のコイン厚みセンサ。
【請求項２】
請求項１に記載の遊技機器用コイン識別機のコイン厚みセンサにおいて、
前記第１発振コイルおよび前記第２発振コイルの各電圧変化の差分、あるいは各発振周波数の変化の差分を演算し、当該差分に基づき、コインの一方の面の凹凸状態を検出することを特徴とする遊技機器用コイン識別機のコイン厚みセンサ。
【発明の詳細な説明】
【技術分野】
【０００１】
本発明は、遊技店に設置されているパチンコ玉、ゲーム用コインなどの遊技媒体の貸し出しを行う遊技媒体貸出機に搭載されている硬貨識別機、または、遊技機に搭載されているゲーム用コインを識別するためのコイン識別機に用いられるコイン厚みセンサに関するものである。
【背景技術】
【０００２】
遊技店においては、パチンコ玉の貸し出しを行うための玉貸機に搭載されている硬貨識別機では、投入された硬貨が通過するコイン通路にコイン材質センサ、コイン厚みセンサ、コイン外径センサなどのコインセンサが配置されている。これらのセンサによって検出された材質、厚みおよび外径に基づき、投入された硬貨の真偽、種類が識別される。また、遊技媒体としてコインを用いて遊技を行う遊技機においても、投入されたコインを識別するために、同様なコインセンサが取り付けられている。このような遊技機器用コイン識別機のコインセンサとしては、特許文献１、２に開示のものを用いることが可能である。
【０００３】
ここで、コインの厚みを検出するためのコイン厚みセンサとしては、図４に示すように、コイン通路１００の両側に発振コイル１０１、１０２を配置し、これらを直列接続してコルピッツ発振回路１０３を構成して発振させるものが知られている。この構成では、コイン１０４の通過により変化する双方の発振コイル１０１、１０２の合成出力が、半波整流回路、平滑回路などからなる信号処理回路１０５を介して得られ、これに基づき、コイン１０４の厚みが検出される。
【０００４】
また、コイン厚みセンサとしては、図５に示すように、コイン通路１１０の両側に、発振コイル１１１を備えた発振回路１１２と、発振コイル１１３を備えた発振回路１１４とを配置し、これらを個別に発振させるものが知られている。この構成では、コイン１１５の通過により変化する各発振回路１１２、１１４の出力が、それぞれ、半波整流回路、平滑回路などからなる信号処理回路１１６、１１７を介して別個に取り出されて、これらの出力に基づきコイン厚みが検出される。
【特許文献１】特開２００４−４６５７２号公報
【特許文献２】特許第２５６７６５４号公報
【発明の開示】
【発明が解決しようとする課題】
【０００５】
従来のコイン厚みセンサにおいては次のような問題点がある。まず、前者の図４に示すものでは、コイン通路の両側に配置した発振コイルの合成出力しか得ることができない。このため、例えば、図３（ｃ）、（ｄ）に示すコイン２０のようにその中央部分が一方の側に凸となっているコインを、中央部分が両側に凸で同一厚さとなっているコインから識別できない。
【０００６】
これに対して、後者の図５に示すものでは、コインの両側の面に対応する出力が得られるものの、双方の発振回路が干渉しないように、これらの発振周波数を離す必要がある。発振周波数が異なるとコイン厚みに対する発振回路の出力特性が相違するので、双方の出力特性を整合させるための補償回路などが必要となってしまう。
【０００７】
本発明の課題は、このような点に鑑みて、識別対象のコインの両面に対応する出力が得られ、しかも、同一発振周波数で発振させることのできるようにした遊技機器用コイン識別機のコイン厚みセンサを提案することにある。
【課題を解決するための手段】
【０００８】
上記の課題を解決するために、本発明の遊技機器用コイン識別機のコイン厚みセンサでは、コイン識別機のコイン通路における一方の側に第１発振コイルが配置され、当該コイン通路の他方の側に第２発振コイルが配置されており、前記第１発振コイルおよび前記第２発振コイルを同一発振周波数で発振させるために、これら第１発振コイルおよび第２発振コイルが直列接続されてハートレー発振回路が構成されており、前記第１発振コイルおよび前記第２発振コイルの各電圧変化あるいは各発振周波数変化に基づき、前記コイン通路を通過するコインの厚みが検出されるようになっていることを特徴としている。
【０００９】
ここで、前記第１発振コイルおよび前記第２発振コイルの各電圧変化の差分、あるいは各発振周波数の変化の差分を演算し、当該差分に基づき、コインの一方の面の凹凸状態を検出することができる。
【発明の効果】
【００１０】
本発明の遊技機器用コイン識別機のコイン厚みセンサでは、ハートレー発振回路を採用して、コイン通路の両側に配置されている第１発振コイルおよび第２発振コイルを同一発振周波数で発振させ、これらの出力を個別に取り出すことができるようにしている。したがって、識別対象のコインの両面の凹凸状態を精度良く検出できる。また、双方の発振コイルの発振周波数が同一であるので、その出力特性を整合化させるための補償回路なども不要になり、製造コストを下げることができる。
【発明を実施するための最良の形態】
【００１１】
以下に、図面を参照して、本発明を適用した遊技機器用コイン識別機のコイン厚みセンサを説明する。
【００１２】
図１は本発明を適用したコイン厚みセンサの概略構成図である。コイン厚みセンサ１は、コイン識別機のコイン通路２の一方の側に配置した第１発振コイル３と、コイン通路２の他方の側に配置した第２発振コイル４とを有している。コイン通路２は、例えば、遊技機器用コイン識別機の本体側部材２ａと、この本体側部材２ａに対して開閉可能なドア側部材２ｂとの間に形成されており、第１発振コイル３が本体側部材２ａに取り付けられ、第２発振コイル４がドア側部材２ｂに取り付けられている。
【００１３】
本例では、第１発振コイル３と第２発振コイル４とが直列接続されて、同一周波数で発振するハートレー発振回路５が構成されている。第１発振コイル３の出力電圧の変化は、半波整流回路６、平滑回路７などからなる信号処理回路８を介して、本体側出力Ｖ３として取り出される。第２発振コイル４の出力電圧の変化も同様に、半波整流回路９、平滑回路１０などからなる信号処理回路１１を介して、ドア側出力Ｖ４として取り出される。
【００１４】
これらのコイン厚みセンサ１の本体側出力Ｖ３およびドア側出力Ｖ４は、コイン識別機の制御回路１２に供給される。制御回路１２では、これらの本体側出力Ｖ３およびドア側出力Ｖ４に基づき、コイン通路２を通過したコイン２０の厚みが識別される。例えば、本体側出力Ｖ３からドア側出力Ｖ４を減算して求めた差分に基づき、コイン２０の表面あるいは裏面の凹凸形状を識別する。
【００１５】
なお、一般的には、コイン通路２には、コイン厚みセンサ１の他に、コイン材質センサおよびコイン外径センサが配置されており、これらの出力に基づき、制御回路１２では、通過したコインの材質および外径も識別される。そして、識別したコインの厚み、材質および外径に基づき、コイン２０の真偽、種類が判別される。コイン材質センサ、コイン外径センサとしては公知のものを用いることができる。
【００１６】
本例のコイン厚みセンサ１のハートレー発振回路５は、図２に示すように、直列接続した第１発振コイル３および第２発振コイル４に、１個のコンデンサ１３が並列接続された構成となっている。第１発振コイル３および第２発振コイル４の中点１４がコンデンサ１３を介して接地されている。したがって、第１発振コイル３および第２発振コイル４の出力を個別に得ることができる。
【００１７】
図３（ａ）および図３（ｂ）には、第１発振コイル３および第２発振コイル４から得られる出力電圧Ｖ３、Ｖ４の波形例を示してある。これらの図において、実線で示す曲線Ａはドア側出力Ｖ３の波形であり、破線で示す曲線Ｂは本体側出力Ｖ４の波形であり、一点鎖線で示す曲線Ｃはドア側出力Ｖ３から本体側出力Ｖ４を減算した差分を示す波形である。
【００１８】
ここで、図３（ａ）に示す波形は、図３（ｃ）に示す状態でコイン２０が通過した場合に得られたものであり、図３（ｂ）に示す波形は、図３（ｄ）に示す状態でコイン２０が通過した場合に得られたものである。コイン２０は、円形外周縁部分に両側に突出したリブ２１が形成されており、その中心には、表面２２の側に突出した円形突起２３が形成され、裏面２４は円形外周縁部分以外が平坦面となっている。図３（ａ）に示す波形は、コイン２０の表面２２が本体側部材２ａ（従って第１発振コイル３）に向いた状態で通過した場合に得られたものである。図３（ｂ）に示す波形は、逆に、コイン２０の裏面２４が本体側部材２ａに向いた状態で通過した場合に得られたものである。
【００１９】
これら図３（ａ）および図３（ｂ）の曲線Ａ、Ｂから分かるように、本体側出力Ｖ３およびドア側出力Ｖ４に基づき、コイン２０の厚みを識別することができる。また、これらの差分を表す曲線Ｃは、本体側部材２ａ（第１発振コイル３）に向いているコイン２０の面の凹凸に対応したものとなっていることが分かる。したがって、差分をとることにより、コイン２０の表面あるいは裏面の凹凸状態も識別できるので、これに基づき、コイン２０の真偽、種類の判別を精度良く行うことができる。
【００２０】
なお、本例では、第１発振コイル３および第２発振コイル４の出力変化を電圧変化して得るようにしている。この代わりに、第１発振コイル３および第２発振コイル４の発振周波数の変化を検出し、これらの変化に基づき、コイン厚みを識別することもできる。
【図面の簡単な説明】
【００２１】
【図１】本発明を適用した遊技機器用コイン識別機のコイン厚みセンサの主要部を示す概略構成図である。
【図２】図１のハートレー発振回路を示す概略ブロック図である。
【図３】（ａ）および（ｂ）は図１のコイン厚みセンサから得られる本体側出力Ｖ３、ドア側出力Ｖ４、およびそれらの差分を示す波形図であり、（ｃ）および（ｄ）はコインの断面形状および通過状態を示す説明図である。
【図４】従来のコイン厚みセンサの概略構成図である。
【図５】従来のコイン厚みセンサの概略構成図である。
【符号の説明】
【００２２】
１    コイン厚みセンサ
２    コイン通路
２ａ  本体側部材
２ｂ  ドア側部材
３    第１発振コイル
４    第２発振コイル
５    ハートレー発振回路
８、１１  信号処理回路
１２  制御回路
２０  コイン
【図１】
2007179408.tif 000003
【図２】
2007179408.tif 000004
【図３】
2007179408.tif 000005
【図４】
2007179408.tif 000006
【図５】
2007179408.tif 000007